(57)【要約】【課題】【解決手段】速度が車輌の運転者に１秒といった極めて短い時間に車輌が走行する距離をメートルで伝える、直感的で理解しやすい単位で表示される車輌速度計、速度を運転者に通知する方法、および車輌速度計に貼付するステッカーセット。
2016523362.tif 000002
【特許請求の範囲】
【請求項１】
車輌の運転者に分かりやすい単位で一定時間内に車輌が走行する距離を通知する方法であって、
瞬間の車輌速度の直感的な速度測定単位による表示と、
時間成分と距離成分からなる速度測定の直感的単位と、
を表示するものであり、
前記時間成分が秒で、前記距離成分がメートル、ヤードおよびフィートからなるグループから選択されることとする、方法。
【請求項２】
車輌の速度が直感的な速度測定単位で表示されており、
直感的な速度測定単位は時間成分と距離成分からなり、
短時間に車輌が走行する距離を表示するために、時間成分と距離成分がそれぞれ選択される、
車輌速度計。
【請求項３】
前記短時間が５秒未満である、
ことを特徴とする請求項２に記載の車輌速度計。
【請求項４】
前記短時間が１秒である
ことを特徴とする請求項３に記載の車輌速度計。
【請求項５】
前記距離成分がメートル、ヤードおよびフィートからなるグループから選択される、
ことを特徴とする請求項４に記載の車輌速度計。
【請求項６】
前記短時間が平均反応時間である、
ことを特徴とする請求項２に記載の車輌速度計。
【請求項７】
前記距離成分がメートル、ヤードおよびフィートからなるグループから選択される
ことを特徴とする請求項６に記載の車輌速度計。
【請求項８】
車輌速度計に貼付するためのステッカーセットであって、
ステッカーが毎秒メートル単位で速度を示す印刷物を含み、
前記車輌速度計に表示される実質的にすべての速度を、前記貼付されたステッカーを参照して毎秒メートル単位に変換できるように、
前記ステッカーを車輌速度計の表面、上部または隣接面に貼付するための説明が記載されるステッカーセット。
【発明の詳細な説明】
【技術分野】
【０００１】
本出願は２０１３年６月１２日に出願された米国仮特許出願第６１/８３３,９５０に基づく優先権の利益を主張する。
【背景技術】
【０００２】
本発明は直感的な車輌速度計に関する。この車輌速度計は理解しやすい測定単位を使って、極めて短い時間内の走行距離を表示するように調整した非標準単位で車速を表示する。
【発明の概要】
【発明が解決しようとする課題】
【０００３】
車輌速度計は当該技術分野においてよく知られている。車輌速度計は通常、速度センサーまたは他の速度測定機器、および瞬間の車輌速度を運転者に表示する表示計または表示装置からなる。例として、米国特許第２０９１０２５号「電気的速度計」を参照されたい。この特許は、引用することによって、本明細書に全体が記載されているかのように、あらゆる目的で本明細書に組み入れられる。
【０００４】
道路事故の主要な原因であると信じられているよく知られた問題は、運転者が車輌速度と、突発事象に反応する時間のような極めて短い時間内に車輌が走行する距離との間の関係の重要性を看過することである。速度データを、詳細で理解しやすい測定単位による別の方法で表示することによって、運転者はいつでも１秒で車輌が走行する距離を簡単かつ迅速に理解することができる。実際の速度の理解と、運転者が反応し、走行の速度または方向を変えるまでの時間に車輌が走行する距離の認知とを組み合わせることによって、第一に、よりよい認知と自己確認挙動が可能になり、第二に危険行為を防止し、注意力の散漫（携帯電話、ラジオなど）を減らすことができる。
【０００５】
しかし、車輌速度を毎時キロメートル(ｋｍ/ｈ)や毎時マイル(ｍ/ｈ)などの一般に受け入れられている速度測定単位で表示する現在の速度計では、例えば１秒間にその車輌が何メートル走行するかなどといった運転者の算術的計算は簡単ではない。これらの標準単位は、衝突を防止するために突発事象に運転者がとっさに反応しなければならない時に、その車輌が必然的にどのくらいの距離を走行するかという情報を運転者に十分に伝達しない。運転者はこの情報をすぐに使うことができないので、運転者が、極めて短い距離を示すための分かりやすく直感的な単位で車輌速度に気づいていれば防止できるはずであった衝突が起こることになる。
【課題を解決するための手段】
【０００６】
１つの実施例では、本発明は、２、３秒またはそれ以下という極めて短い時間内に車輌が走行する距離を示すように選択された非標準単位で瞬間の車輌速度を表示する直感的な車輌速度計である。理想的には、この極めて短い時間は平均的反応時間とおおむね等しい。
本明細書で使用する反応時間という言葉は突発事象が発生してから運転状態を変化させるまでに必要な時間を意味する。反応時間は運転者の反応時間と車輌反応時間の和である。運転者の反応時間は、運転者が切迫した衝突などの突発事象に反応し、車輌速度や方向を変えるのに必要な時間である。車輌反応時間は運転者が行った変化に車輌が反応する時間である（プレーキペダルの踏み込みに対応してブレーキをかける、ハンドルの回転に対応して車輪の方向を変えるなど）。我々は様々な運転者と様々な車輌を通じ、推定される平均的反応時間は１秒で許容できるということを見出した。
【０００７】
１つの実施例では、標準単位速度計が調整されて非標準単位で速度を表示する。１つの実施例では、標準単位速度計に、標準単位とともに非標準単位で速度を表示するデカールやステッカーを貼付する。
【０００８】
もう１つの実施例では、車輌には速度を非標準単位でのみ表示する第２の独立速度計を備えてもよい。
【０００９】
１つの実施例では、非標準単位は毎秒メートル、毎秒ヤードまたは毎秒フィートである。もう１つの実施例では、非標準単位は反応時間あたりのメートル、ヤードまたはフィートである。これは１秒（平均反応時間）であってもよく、０．１から５秒までの他のいかなる数字でもよい。
【００１０】
本発明によれば、車輌の運転者に理解しやすい単位で時間内の走行距離を通知する方法が提供される。その方法には、車輌の瞬間速度の直感的な速度測定単位による表示、時間成分は秒で、距離成分はメートル、ヤード、フィートからなるグループから選択される、時間成分と距離成分を含む速度測定の直感的な単位が含まれる。
【００１１】
本発明によれば、車輌の速度が直感的な速度測定単位で表示される車輌速度計、時間成分と距離成分を含む直感的な速度測定単位、短時間内に車輌が走行すると思われる実際の距離を示すように選択された時間成分と距離成分がさらに提供される。好ましくは、短時間とは５秒未満である。最も好ましくは、短時間とは１秒である。好ましくは、距離成分はメートル、ヤードまたはフィートである。
【００１２】
本発明によれば、車輌速度計に貼付するための、毎秒メートルで速度を表示するステッカーセットがさらに提供される。このステッカーセットには、貼付されたステッカーによって車輌速度計が表示する実質的にすべての速度を毎秒メートル単位に換算できるように前記ステッカーを車輌速度計の表面、上部または隣接面に貼付するための説明を含む。
【図面の簡単な説明】
【００１３】
本明細書では、ほんの一例として添付図面を参照しながら様々な実施例を記述する。
【図１】本発明による直感的な速度計の１つの実施例を示す図である。
【図２】本発明による一組の速度計ステッカーの１つの実施例を示す図である。
【発明を実施するための形態】
【００１４】
本発明による直感的な速度計の原理と動作は図面とその説明を参照することにより、よりよく理解することができる。
【００１５】
図面を参照して説明すると、図１は本発明による直感的な速度計を示す。直感的な速度計１０は表示装置１４に接続された速度測定装置（センサーなど）１２を有してなる。表示装置１４は指針１６および数目盛１８を有する。数目盛１８は標準単位目盛２０と直感的な単位目盛２２を含む。標準単位目盛２０は瞬間速度をｋｍ/ｈで表示するが、直感的な単位目盛２２は同じ情報を直感的単位で表示する(図１ではｍ/ｓ)。図１では直感的な単位目盛２２は様々な運転者と車輌の平均反応時間を代表する約１秒である毎秒メートルを表示する。運転時、車輌の瞬間速度が例えば９０ｋｍ/ｈであれば、指針１６は標準単位目盛２０で９０ｋｍ/ｈを、直感的な単位目盛２２では、２５ｍ/ｓを指し、突発事象が発生した場合、１秒間の反応時間で車輌が走行する距離は２５メートルであることを運転者に通知する。
【００１６】
当業者であれば十分に理解できるように、事前に設定された任意の反応時間に関して、直感的な単位目盛２２を標準単位目盛２０と揃えて、算術的関数として適切な値を表示させるようにしてもよい。例えば、事前に設定した反応時間が０.５秒であれば、直感的な単位目盛２２を標準単位目盛２０と揃えて、直感的な単位目盛２２のメートル/０.５秒（メートル/秒でなく）を標準単位目盛２０に対応させることができる。例えば、３６ｋｍ/ｈで、直感的な単位目盛２２は５メートル/０.５秒を表示するが、１８０ｋｍ/ｈでは、２５メートル/０.５秒を表示する。
【００１７】
図１は、説明の都合上、アナログ速度計だが、本明細書記載の原理を利用してデジタル速度計を特徴とする実施例も可能であることを当業者ならば理解できるであろう。
【００１８】
図２は、本発明の１つの実施例に従って従来の車輌速度計の表面、上部または隣接面に貼付するステッカーセットである。ステッカーシート１００は速度を毎秒メートルで印刷した一組の剥離可能なステッカー１０２を備える。またステッカーシート１００は、毎秒メートル速度に対する毎時キロメートルと毎時マイルでの相当速度を示す同梱指示図（図２）を参照して車輌速度計の表面（または隣接面）へのステッカー１０２の正しい貼付方法を示す説明書１０４を含む。
【００１９】
本明細書記載の発明を使って、運転者は反応する前に車輌が走行する距離を速やかに認知し、この情報を使って、現在の道路および交通状況に対応する安全な車輌速度を維持することができる。
【００２０】
本発明を限られた数の実施例で説明したが、本発明の多くの変異、修正および他の応用も可能であることを理解されたい。従って、以下の請求項で請求する発明は本明細書記載の実施例に限られるものではない。
【図１】
2016523362.tif 000003
【図２】
2016523362.tif 000004
【国際調査報告】
2016523362.tif 000005
2016523362.tif 000006